(57)【要約】【課題】安定した放電を維持することができる放電灯駆動装置を提供する。【解決手段】本発明の放電灯駆動装置の一つの態様は、放電灯に駆動電力を供給する放電灯駆動部と、放電灯駆動部を制御する制御部と、を備え、制御部は、相対的に低い第１駆動電力を放電灯に供給する第１駆動と、第１駆動電力以上且つ放電灯の定格電力以下である第２駆動電力を放電灯に供給する第２駆動と、を実行可能であり、放電灯の立上期間において第２駆動を実行し、放電灯の劣化の程度に応じて、立上期間において実行される第２駆動における放電灯に与える熱負荷を調整することを特徴とする。【選択図】図７
2015097190.tif 000002
【特許請求の範囲】
【請求項１】
放電灯に駆動電力を供給する放電灯駆動部と、
前記放電灯駆動部を制御する制御部と、を備え、
前記制御部は、
相対的に低い第１駆動電力を前記放電灯に供給する第１駆動と、前記第１駆動電力以上
且つ前記放電灯の定格電力以下である第２駆動電力を前記放電灯に供給する第２駆動と、
を実行可能であり、
前記放電灯の立上期間において前記第２駆動を実行し、
前記放電灯の劣化の程度に応じて、前記立上期間において実行される前記第２駆動にお
ける前記放電灯に与える熱負荷を調整することを特徴とする放電灯駆動装置。
【請求項２】
前記制御部は、前記放電灯の劣化が進行するに従って前記熱負荷を大きく設定すること
を特徴とする請求項１に記載の放電灯駆動装置。
【請求項３】
前記制御部は、前記放電灯の劣化の程度が所定値よりも大きい場合、前記熱負荷を前記
所定値における前記熱負荷以下に設定することを特徴とする請求項１に記載の放電灯駆動
装置。
【請求項４】
前記制御部は、前記放電灯の劣化の程度が前記所定値以下である場合、前記放電灯の劣
化が進行するに従って、前記熱負荷を大きく設定することを特徴とする請求項３に記載の
放電灯駆動装置。
【請求項５】
前記制御部は、前記放電灯の劣化の程度が前記所定値よりも大きい場合、前記放電灯の
劣化が進行するに従って、前記熱負荷を小さく設定することを特徴とする請求項４に記載
の放電灯駆動装置。
【請求項６】
前記熱負荷を調整することは、前記第２駆動電力の値を調整することを含むことを特徴
とする請求項１から５のいずれか一項に記載の放電灯駆動装置。
【請求項７】
前記熱負荷を調整することは、前記立上期間において前記放電灯に供給される駆動電流
の波形を調整することを含むことを特徴とする請求項１から６のいずれか一項に記載の放
電灯駆動装置。
【請求項８】
前記制御部は、前記第１駆動における前記放電灯の電極間電圧を参照することにより前
記放電灯の劣化の程度を検出することを特徴とする請求項１から７のいずれか一項に記載
の放電灯駆動装置。
【請求項９】
前記立上期間は、前記駆動電力が前記第２駆動電力へ向けて増加される第１立上期間を
含み、
前記制御部は、前記第１立上期間内の任意の時点における電極間電圧を参照し、前記電
極間電圧の参照結果から前記第１駆動における電極間電圧を推定することを特徴とする請
求項８に記載の放電灯駆動装置。
【請求項１０】
前記制御部は、前回の放電灯点灯時に記憶された電極間電圧を次回の放電灯点灯時に読
み出し、前記電極間電圧の読み出し結果から前記第１駆動における電極間電圧を推定する
ことを特徴とする請求項８に記載の放電灯駆動装置。
【請求項１１】
光を射出する放電灯と、
請求項１から請求項１０までのいずれか一項に記載の放電灯駆動装置と、
を備えることを特徴とする光源装置。
【請求項１２】
請求項１１に記載の光源装置と、
前記光源装置から射出される光を映像信号に応じて変調する光変調素子と、
前記光変調素子により変調された光を投射する投射光学系と、
を備えることを特徴とするプロジェクター。
【請求項１３】
放電灯に駆動電力を供給して駆動させる放電灯駆動方法であって、
相対的に低い第１駆動電力を前記放電灯に供給する第１駆動と、
前記第１駆動電力以上且つ前記放電灯の定格電力以下である第２駆動電力を前記放電灯
に供給する第２駆動と、を有し、
前記放電灯の立上期間において前記第２駆動を実行し、
前記放電灯の劣化の程度に応じて、前記立上期間において実行される前記第２駆動にお
ける前記放電灯に与える熱負荷を調整することを特徴とする放電灯駆動方法。
【発明の詳細な説明】
【技術分野】
【０００１】
本発明は、放電灯駆動装置、光源装置、プロジェクターおよび放電灯駆動方法に関する
。
【背景技術】
【０００２】
近年、プロジェクターには省エネルギー化が求められている。そのため、ランプへの駆
動電力を通常よりも低下させる低電力モード、映像信号に同期して駆動電力を変化させる
調光モード、外部から映像信号が入力されていないときに駆動電力を低下させる待機モー
ドなど、各種の点灯モードを搭載したプロジェクターが提供されている。例えば低電力モ
ードでは、ランプに供給される駆動電力が低いため、電極への負荷が小さくなり、ランプ
の寿命が長くなる。
【０００３】
しかしながら、駆動電力が定格電力よりも小さい場合、電極先端の突起を充分に溶融さ
せることができず、点灯を長時間続けると、突起が損耗、縮小する。突起の縮小は電極間
距離が広がることとなり、照度の低下を引き起こす。つまり、電極先端の突起の形状を維
持できない場合、低電力モードの利点を生かせず、ランプの寿命が短くなるという問題が
生じる。そこで、この問題を解決するために、ランプ点灯後の所定の期間において、電極
の突起の溶融を促進するリフレッシュ点灯モードでランプを駆動する放電灯点灯装置、お
よびプロジェクターが提案されている（下記の特許文献１参照）。
【先行技術文献】
【特許文献】
【０００４】
【特許文献１】特開２００８−２７００５８号公報
【発明の概要】
【発明が解決しようとする課題】
【０００５】
特許文献１のプロジェクターの場合、リフレッシュ点灯モードでは定格電力値を超える
ランプ電力が供給される。この場合、通常点灯時に形成された突起が溶融され過ぎ、突起
の形状が維持できないことが考えられる。その結果、ランプは、安定した放電を維持でき
ず、フリッカーが発生する。また、発光管への負荷が大きく、石英ガラスの結晶化現象、
いわゆる失透などの不具合が生じる虞がある。
【０００６】
本発明の一つの態様は、上記の課題を解決するためになされたものであって、安定した
放電を維持することができる放電灯駆動装置、光源装置、プロジェクターおよび放電灯駆
動方法を提供することを目的の一つとする。
【課題を解決するための手段】
【０００７】
上記の目的を達成するために、本発明の一つの態様の放電灯駆動装置は、放電灯に駆動
電力を供給する放電灯駆動部と、前記放電灯駆動部を制御する制御部と、を備え、前記制
御部は、相対的に低い第１駆動電力を前記放電灯に供給する第１駆動と、前記第１駆動電
力以上且つ前記放電灯の定格電力以下である第２駆動電力を前記放電灯に供給する第２駆
動と、を実行可能であり、前記放電灯の立上期間において前記第２駆動を実行し、前記放
電灯の劣化の程度に応じて、前記立上期間において実行される前記第２駆動における前記
放電灯に与える熱負荷を調整することを特徴とする。
【０００８】
本発明の一つの態様の放電灯駆動装置は、相対的に低い第１駆動電力で放電灯を駆動す
る第１駆動を有している。従来、第１駆動においては放電灯の電極先端の突起を充分に溶
融させにくく、点灯を続けると突起は縮小し、放電灯の照度が低下する場合があった。こ
れに対し、本発明の一つの態様の放電灯駆動装置は、立上期間において、相対的に低い第
１駆動電力以上、定格電力以下の値に設定される第２駆動電力で放電灯を駆動する第２駆
動が実行される。そのため、電極先端の突起を適度に溶融させることができ、突起の形状
を維持することができる。
【０００９】
また、本発明の一つの態様の放電灯駆動装置は、放電灯の劣化の程度に応じて、第２駆
動において放電灯に与える熱負荷を調整するため、放電灯の劣化の程度が変化しても、そ
の劣化の程度に応じて電極先端の突起の溶融状態を安定して制御できる。その結果、放電
が安定し、放電灯の照度変化を抑えることができるとともに、放電灯の寿命を長く維持す
ることができる。
【００１０】
本発明の一つの態様の放電灯駆動装置において、前記制御部は、前記放電灯の劣化が進
行するに従って前記熱負荷を大きく設定する構成としてもよい。
この構成によれば、劣化が進行していない放電灯に対して熱負荷を相対的に小さく、劣
化が進行している放電灯に対して熱負荷を相対的に大きくすることにより、放電灯の電極
先端の突起が過度に溶融することを抑制し、突起の形状を維持することができる。
【００１１】
本発明の一つの態様の放電灯駆動装置において、前記制御部は、前記放電灯の劣化の程
度が所定値よりも大きい場合、前記熱負荷を前記所定値における前記熱負荷以下に設定す
る構成としてもよい。
この構成によれば、劣化がある程度進行した放電灯に対して、熱負荷を大きく与えるこ
とが抑制されるため、電極先端の突起が消滅することを抑制できる。
【００１２】
本発明の一つの態様の放電灯駆動装置において、前記制御部は、前記放電灯の劣化の程
度が前記所定値以下である場合、前記放電灯の劣化が進行するに従って、前記熱負荷を大
きく設定する構成としてもよい。
この構成によれば、劣化の程度が所定値以下である放電灯に対して、放電灯の劣化が進
行するに従って熱負荷を大きく設定するため、電極先端の突起を適度に溶融させることが
できる。
【００１３】
本発明の一つの態様の放電灯駆動装置において、前記制御部は、前記放電灯の劣化の程
度が前記所定値よりも大きい場合、前記放電灯の劣化が進行するに従って、前記熱負荷を
小さく設定する構成としてもよい。
この構成によれば、劣化がある程度進行した放電灯に対して、放電灯の劣化が進行する
に従って熱負荷を小さく設定するため、電極先端の突起の消滅をより抑制できる。
【００１４】
本発明の一つの態様の放電灯駆動装置において、前記熱負荷を調整することは、前記第
２駆動電力の値を調整することを含む構成としてもよい。
この構成によれば、第２駆動電力を調整することで、電極先端の突起の溶融を制御でき
る。
【００１５】
本発明の一つの態様の放電灯駆動装置において、前記熱負荷を調整することは、前記立
上期間において前記放電灯に供給される駆動電流の波形を調整することを含む構成として
もよい。
この構成によれば、駆動電流の波形を調整することで、電極先端の突起の溶融を制御で
きる。
【００１６】
本発明の一つの態様の放電灯駆動装置において、前記制御部は、前記第１駆動における
前記放電灯の電極間電圧を参照することにより前記放電灯の劣化の程度を検出する構成と
してもよい。
放電灯の電極先端の突起が損耗、縮小すると、電極間距離が大きくなり、それに伴って
電極間電圧が大きくなる。したがって、この構成によれば、放電灯の電極間電圧を参照す
ることにより、放電灯の劣化の程度が直接的に把握でき、最適な第２駆動電力を設定する
ことができる。
【００１７】
本発明の一つの態様の放電灯駆動装置において、前記立上期間は、前記駆動電力が前記
第２駆動電力へ向けて増加される第１立上期間を含み、前記制御部は、前記第１立上期間
内の任意の時点における電極間電圧を参照し、前記電極間電圧の参照結果から前記第１駆
動における電極間電圧を推定する構成としてもよい。
この構成によれば、１回の点灯毎に第１立上期間での電極間電圧を参照するため、第１
駆動時の電極間電圧を精度良く推定でき、放電灯の劣化の程度を的確に検出することがで
きる。
【００１８】
本発明の一つの態様の放電灯駆動装置において、前記制御部は、前回の放電灯点灯時に
記憶された電極間電圧を次回の放電灯点灯時に読み出し、前記電極間電圧の読み出し結果
から前記第１駆動における電極間電圧を推定する構成としてもよい。
この構成によれば、前回の点灯時に記憶済みの電極間電圧を次回の点灯時に参照するた
め、第１駆動時の電極間電圧を容易に推定でき、放電灯の劣化の程度を的確に検出するこ
とができる。
【００１９】
本発明の一つの態様の光源装置は、光を射出する放電灯と、上記の放電灯駆動装置と、
を備えることを特徴とする。
本発明の一つの態様によれば、安定した照度が得られ、放電灯の寿命が長い光源装置を
実現することができる。
【００２０】
本発明の一つの態様のプロジェクターは、上記の光源装置と、前記光源装置から射出さ
れる光を映像信号に応じて変調する光変調素子と、前記光変調素子により変調された光を
投射する投射光学系と、を備えることを特徴とする。
本発明の一つの態様によれば、表示品位に優れ、信頼性の高いプロジェクターを実現す
ることができる。
【００２１】
本発明の一つの態様の放電灯駆動方法は、放電灯に駆動電力を供給して駆動させる放電
灯駆動方法であって、相対的に低い第１駆動電力を前記放電灯に供給する第１駆動と、前
記第１駆動電力以上且つ前記放電灯の定格電力以下である第２駆動電力を前記放電灯に供
給する第２駆動と、を有し、前記放電灯の立上期間において前記第２駆動を実行し、前記
放電灯の劣化の程度に応じて、前記立上期間において実行される前記第２駆動における前
記放電灯に与える熱負荷を調整することを特徴とする。
【００２２】
本発明の一つの態様の放電灯駆動方法によれば、安定した放電が得られることで放電灯
の照度変化が抑えられ、放電灯の寿命を長く維持することができる。
【図面の簡単な説明】
【００２３】
【図１】第１実施形態のプロジェクターの概略構成図である。
【図２】第１実施形態における放電灯の断面図である。
【図３】第１実施形態のプロジェクターの各種構成要素を示すブロック図である。
【図４】第１実施形態の放電灯点灯装置の回路図である。
【図５】第１実施形態の制御部の一構成例を示すブロック図である。
【図６】放電灯の電極先端の突起の様子を示す図である。
【図７】第１実施形態の放電灯の駆動電力波形の一例を示す図である。
【図８】第１実施形態における駆動電力波形を決定するためのフローチャートである。
【図９】第２実施形態の放電灯の駆動電力波形の一例を示す図である。
【図１０】劣化に伴う放電灯の電極先端の突起の変化を示す図である。
【図１１】第２実施形態の駆動電流波形を示す図である。
【発明を実施するための形態】
【００２４】
以下、図面を参照しながら、本発明の実施形態に係るプロジェクターについて説明する
。
なお、本発明の範囲は、以下の実施の形態に限定されるものではなく、本発明の技術的
思想の範囲内で任意に変更可能である。また、以下の図面においては、各構成をわかりや
すくするために、実際の構造と各構造における縮尺や数等を異ならせる場合がある。
【００２５】
（第１実施形態）
図１に示すように、本実施形態のプロジェクター５００は、光源装置２００と、平行化
レンズ３０５と、照明光学系３１０と、色分離光学系３２０と、３つの液晶ライトバルブ
３３０Ｒ，３３０Ｇ，３３０Ｂ（光変調素子）と、クロスダイクロイックプリズム３４０
と、投射光学系３５０と、を備えている。
【００２６】
光源装置２００から射出された光は、平行化レンズ３０５を通過して照明光学系３１０
に入射する。平行化レンズ３０５は、光源装置２００からの光を平行化する機能を有する
。
【００２７】
照明光学系３１０は、光源装置２００から射出される光の照度を、液晶ライトバルブ３
３０Ｒ，３３０Ｇ，３３０Ｂ上において均一化するように調整する機能を有する。さらに
、照明光学系３１０は、光源装置２００から射出される光の偏光方向を一方向に揃える機
能を有する。その理由は、光源装置２００から射出される光を液晶ライトバルブ３３０Ｒ
，３３０Ｇ，３３０Ｂで有効に利用するためである。
【００２８】
照度分布と偏光方向とが調整された光は、色分離光学系３２０に入射する。色分離光学
系３２０は、入射光を赤色光（Ｒ）、緑色光（Ｇ）、青色光（Ｂ）の３つの色光に分離す
る。３つの色光は、各色光に対応付けられた液晶ライトバルブ３３０Ｒ，３３０Ｇ，３３
０Ｂによりそれぞれ変調される。液晶ライトバルブ３３０Ｒ，３３０Ｇ，３３０Ｂは、後
述する液晶パネル５６０Ｒ，５６０Ｇ，５６０Ｂと、偏光板（図示せず）と、を備えてい
る。偏光板は、液晶パネル５６０Ｒ，５６０Ｇ，５６０Ｂのそれぞれの光入射側および光
射出側に配置される。
【００２９】
変調された３つの色光は、クロスダイクロイックプリズム３４０により合成される。合
成光は投射光学系３５０に入射する。投射光学系３５０は、入射光をスクリーン７００（
図３参照）に投射する。これにより、スクリーン７００上に映像が表示される。なお、平
行化レンズ３０５、照明光学系３１０、色分離光学系３２０、クロスダイクロイックプリ
ズム３４０、投射光学系３５０の各々の構成としては、周知の構成を採用することができ
る。
【００３０】
図２は、光源装置２００の構成を示す断面図である。光源装置２００は、光源ユニット
２１０と、放電灯点灯装置（放電灯駆動装置）１０と、を備えている。図２には、光源ユ
ニット２１０の断面図が示されている。光源ユニット２１０は、主反射鏡１１２と、放電
灯９０と、副反射鏡５０と、を備えている。
【００３１】
放電灯点灯装置１０は、放電灯９０に駆動電力（駆動電流）を供給して放電灯９０を点
灯させる。主反射鏡１１２は、放電灯９０から放出された光を照射方向Ｄに向けて反射す
る。照射方向Ｄは、放電灯９０の光軸ＡＸと平行である。
【００３２】
放電灯９０の形状は、照射方向Ｄに沿って延びる棒状である。放電灯９０の一方の端部
を第１端部９０ｅ１とし、放電灯９０の他方の端部を第２端部９０ｅ２とする。放電灯９
０の材料は、例えば、石英ガラス等の透光性材料である。放電灯９０の中央部は球状に膨
らんでおり、その内部は放電空間９１である。放電空間９１には、希ガス、金属ハロゲン
化合物等を含む放電媒体であるガスが封入されている。
【００３３】
放電空間９１には、第１電極９２および第２電極９３の先端が突出している。第１電極
９２は、放電空間９１の第１端部９０ｅ１側に配置されている。第２電極９３は、放電空
間９１の第２端部９０ｅ２側に配置されている。第１電極９２および第２電極９３の形状
は、光軸ＡＸに沿って延びる棒状である。放電空間９１には、第１電極９２および第２電
極９３の電極先端部が、所定距離だけ離れて対向するように配置されている。第１電極９
２および第２電極９３の材料は、例えば、タングステン等の金属である。
【００３４】
放電灯９０の第１端部９０ｅ１に、第１端子５３６が設けられている。第１端子５３６
と第１電極９２とは、放電灯９０の内部を貫通する導電性部材５３４により電気的に接続
されている。同様に、放電灯９０の第２端部９０ｅ２に、第２端子５４６が設けられてい
る。第２端子５４６と第２電極９３とは、放電灯９０の内部を貫通する導電性部材５４４
により電気的に接続されている。第１端子５３６および第２端子５４６の材料は、例えば
、タングステン等の金属である。導電性部材５３４，５４４の材料としては、例えば、モ
リブデン箔が利用される。
【００３５】
第１端子５３６および第２端子５４６は、放電灯点灯装置１０に接続されている。放電
灯点灯装置１０は、第１端子５３６および第２端子５４６に、放電灯９０を駆動するため
の駆動電力を供給する。その結果、第１電極９２および第２電極９３の間でアーク放電が
起きる。アーク放電により発生した光（放電光）は、破線の矢印で示すように、放電位置
から全方向に向かって放射される。
【００３６】
主反射鏡１１２は、固定部材１１４により、放電灯９０の第１端部９０ｅ１に固定され
ている。主反射鏡１１２は、放電光のうち、照射方向Ｄと反対側に向かって進む光を照射
方向Ｄに向かって反射する。主反射鏡１１２の反射面（放電灯９０側の面）の形状は、放
電光を照射方向Ｄに向かって反射できる範囲内において、特に限定されず、例えば、回転
楕円形状であっても、回転放物線形状であってもよい。例えば、主反射鏡１１２の反射面
の形状を回転放物線形状とした場合、主反射鏡１１２は、放電光を光軸ＡＸに略平行な光
に変換することができる。これにより、平行化レンズ３０５を省略することができる。
【００３７】
副反射鏡５０は、固定部材５２２により、放電灯９０の第２端部９０ｅ２側に固定され
ている。副反射鏡５０の反射面（放電灯９０側の面）の形状は、放電空間９１の第２端部
９０ｅ２側の部分を囲む球面形状である。副反射鏡５０は、放電光のうち、主反射鏡１１
２が配置された側と反対側に向かって進む光を主反射鏡１１２に向かって反射する。これ
により、放電空間９１から放射される光の利用効率を高めることができる。
【００３８】
固定部材１１４，５２２の材料は、放電灯９０からの発熱に耐え得る耐熱材料である範
囲内において、特に限定されず、例えば、無機接着剤である。主反射鏡１１２および副反
射鏡５０と放電灯９０との配置を固定する方法としては、主反射鏡１１２および副反射鏡
５０を放電灯９０に固定する方法に限らず、任意の方法を採用できる。例えば、放電灯９
０と主反射鏡１１２とを、独立にプロジェクター５００の筐体（図示せず）に固定しても
よい。
副反射鏡５０についても同様である。
【００３９】
以下、プロジェクター５００の回路構成について説明する。
図３は、本実施形態のプロジェクター５００の回路構成の一例を示す図である。プロジ
ェクター５００は、図１に示した光学系の他、画像信号変換部５１０と、直流電源装置８
０と、液晶パネル５６０Ｒ，５６０Ｇ，５６０Ｂと、画像処理装置５７０と、ＣＰＵ（Ce
ntral Processing Unit）５８０と、を備えている。
【００４０】
画像信号変換部５１０は、外部から入力された画像信号５０２（輝度−色差信号やアナ
ログＲＧＢ信号など）を所定のワード長のデジタルＲＧＢ信号に変換して画像信号５１２
Ｒ，５１２Ｇ，５１２Ｂを生成し、画像処理装置５７０に供給する。
【００４１】
画像処理装置５７０は、３つの画像信号５１２Ｒ，５１２Ｇ，５１２Ｂに対してそれぞ
れ画像処理を行う。画像処理装置５７０は、液晶パネル５６０Ｒ，５６０Ｇ，５６０Ｂを
それぞれ駆動するための駆動信号５７２Ｒ，５７２Ｇ，５７２Ｂを液晶パネル５６０Ｒ，
５６０Ｇ，５６０Ｂに供給する。
【００４２】
直流電源装置８０は、外部の交流電源６００から供給される交流電圧を一定の直流電圧
に変換する。直流電源装置８０は、トランス（図示しないが、直流電源装置８０に含まれ
る）の２次側にある画像信号変換部５１０、画像処理装置５７０およびトランスの１次側
にある放電灯点灯装置１０に直流電圧を供給する。
【００４３】
放電灯点灯装置１０は、起動時に放電灯９０の電極間に高電圧を発生し、絶縁破壊を生
じさせて放電路を形成する。以後、放電灯点灯装置１０は、放電灯９０が放電を維持する
ための駆動電流Ｉを供給する。
【００４４】
液晶パネル５６０Ｒ，５６０Ｇ，５６０Ｂは、前述した液晶ライトバルブ３３０Ｒ，３
３０Ｇ，３３０Ｂにそれぞれ備えられている。液晶パネル５６０Ｒ，５６０Ｇ，５６０Ｂ
は、それぞれ駆動信号５７２Ｒ，５７２Ｇ，５７２Ｂに基づいて、前述した光学系を介し
て各液晶パネル５６０Ｒ，５６０Ｇ，５６０Ｂに入射される色光の透過率（輝度）を変調
する。
【００４５】
ＣＰＵ５８０は、プロジェクター５００の点灯開始から消灯に至るまでの各種の動作を
制御する。例えば、図３の例では、通信信号５８２を介して点灯命令や消灯命令を放電灯
点灯装置１０に出力する。ＣＰＵ５８０は、放電灯点灯装置１０から通信信号５８４を介
して放電灯９０の点灯情報を受け取る。
【００４６】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と
、制御部４０と、動作検出部６０と、イグナイター回路７０と、を備えている。
【００４７】
電力制御回路２０は、放電灯９０に供給する駆動電力を生成する。本実施形態において
は、電力制御回路２０は、直流電源装置８０からの電圧を入力とし、入力電圧を降圧して
直流電流Ｉｄを出力するダウンチョッパー回路で構成されている。
【００４８】
電力制御回路２０は、スイッチ素子２１、ダイオード２２、コイル２３およびコンデン
サー２４を含んで構成される。スイッチ素子２１は、例えば、トランジスターで構成され
る。本実施形態においては、スイッチ素子２１の一端は直流電源装置８０の正電圧側に接
続され、他端はダイオード２２のカソード端子およびコイル２３の一端に接続されている
。
【００４９】
コイル２３の他端にコンデンサー２４の一端が接続され、コンデンサー２４の他端はダ
イオード２２のアノード端子および直流電源装置８０の負電圧側に接続されている。スイ
ッチ素子２１の制御端子には、後述する制御部４０から電流制御信号が入力されてスイッ
チ素子２１のＯＮ／ＯＦＦが制御される。電流制御信号には、例えば、ＰＷＭ（Pulse Wi
dth Modulation）制御信号が用いられてもよい。
【００５０】
スイッチ素子２１がＯＮすると、コイル２３に電流が流れ、コイル２３にエネルギーが
蓄えられる。その後、スイッチ素子２１がＯＦＦすると、コイル２３に蓄えられたエネル
ギーがコンデンサー２４とダイオード２２とを通る経路で放出される。その結果、スイッ
チ素子２１がＯＮする時間の割合に応じた直流電流Ｉｄが発生する。
【００５１】
極性反転回路３０は、電力制御回路２０から入力される直流電流Ｉｄを所定のタイミン
グで極性反転させる。これにより、極性反転回路３０は、制御された時間だけ継続する直
流である駆動電流Ｉ、もしくは、任意の周波数を持つ交流である駆動電流Ｉを生成し、出
力する。本実施形態において、極性反転回路３０は、インバーターブリッジ回路（フルブ
リッジ回路）で構成されている。
【００５２】
極性反転回路３０は、例えば、トランジスターなどで構成される第１のスイッチ素子３
１、第２のスイッチ素子３２、第３のスイッチ素子３３、および第４のスイッチ素子３４
を含んでいる。極性反転回路３０は、直列接続された第１のスイッチ素子３１および第２
のスイッチ素子３２と、直列接続された第３のスイッチ素子３３および第４のスイッチ素
子３４と、が互いに並列接続された構成を有する。第１のスイッチ素子３１、第２のスイ
ッチ素子３２、第３のスイッチ素子３３、および第４のスイッチ素子３４の制御端子には
、それぞれ制御部４０から極性反転制御信号が入力される。この極性反転制御信号に基づ
いて、第１のスイッチ素子３１、第２のスイッチ素子３２、第３のスイッチ素子３３およ
び第４のスイッチ素子３４のＯＮ／ＯＦＦ動作が制御される。
【００５３】
極性反転回路３０においては、第１のスイッチ素子３１および第４のスイッチ素子３４
と、第２のスイッチ素子３２および第３のスイッチ素子３３と、を交互にＯＮ／ＯＦＦさ
せる動作が繰り返される。これにより、電力制御回路２０から出力される直流電流Ｉｄの
極性が交互に反転する。極性反転回路３０は、第１のスイッチ素子３１と第２のスイッチ
素子３２との共通接続点、および第３のスイッチ素子３３と第４のスイッチ素子３４との
共通接続点から、制御された時間だけ同一極性状態を継続する直流である駆動電流Ｉ、も
しくは制御された周波数をもつ交流である駆動電流Ｉを生成し、出力する。
【００５４】
すなわち、極性反転回路３０は、第１のスイッチ素子３１および第４のスイッチ素子３
４がＯＮのときには第２のスイッチ素子３２および第３のスイッチ素子３３がＯＦＦであ
り、第１のスイッチ素子３１および第４のスイッチ素子３４がＯＦＦのときには第２のス
イッチ素子３２および第３のスイッチ素子３３がＯＮであるように制御される。したがっ
て、第１のスイッチ素子３１および第４のスイッチ素子３４がＯＮのときには、コンデン
サー２４の一端から第１のスイッチ素子３１、放電灯９０、第４のスイッチ素子３４の順
に流れる駆動電流Ｉが発生する。第２のスイッチ素子３２および第３のスイッチ素子３３
がＯＮのときには、コンデンサー２４の一端から第３のスイッチ素子３３、放電灯９０、
第２のスイッチ素子３２の順に流れる駆動電流Ｉが発生する。
【００５５】
本実施形態において、電力制御回路２０と極性反転回路３０とを合わせた部分が放電灯
駆動部２３０に対応する。すなわち、放電灯駆動部２３０は、放電灯９０を駆動する駆動
電流Ｉ（駆動電力）を放電灯９０に供給する。
【００５６】
制御部４０は、放電灯駆動部２３０を制御する。図４の例では、制御部４０は、電力制
御回路２０および極性反転回路３０を制御することにより、駆動電流Ｉが同一極性を継続
する保持時間、駆動電流Ｉの電流値（駆動電力の電力値）、周波数等のパラメーターを制
御する。制御部４０は、極性反転回路３０に対して、駆動電流Ｉの極性反転タイミングに
より、駆動電流Ｉが同一極性で継続する保持時間、駆動電流Ｉの周波数等を制御する極性
反転制御を行う。制御部４０は、電力制御回路２０に対して、出力される直流電流Ｉｄの
電流値を制御する電流制御を行う。
【００５７】
本実施形態において制御部４０は、後述する低電力モード時電力（第１駆動電力）を放
電灯９０に供給する駆動（第１駆動）と、後述するリフレッシュ電力（第２駆動電力）を
放電灯９０に供給する駆動（第２駆動）と、を実行可能である。
【００５８】
制御部４０の構成は、特に限定されない。本実施形態においては、制御部４０は、シス
テムコントローラー４１、電力制御回路コントローラー４２、および極性反転回路コント
ローラー４３を含んで構成されている。なお、制御部４０は、その一部または全てを半導
体集積回路で構成してもよい。
【００５９】
システムコントローラー４１は、電力制御回路コントローラー４２および極性反転回路
コントローラー４３を制御することにより、電力制御回路２０および極性反転回路３０を
制御する。システムコントローラー４１は、動作検出部６０が検出したランプ電圧（電極
間電圧）Ｖｌａおよび駆動電流Ｉに基づき、電力制御回路コントローラー４２および極性
反転回路コントローラー４３を制御してもよい。
【００６０】
本実施形態においては、システムコントローラー４１は、記憶部４４を含んで構成され
ている。記憶部４４は、システムコントローラー４１とは独立に設けられてもよい。
【００６１】
システムコントローラー４１は、記憶部４４に格納された情報に基づき、電力制御回路
２０および極性反転回路３０を制御してもよい。記憶部４４には、例えば、駆動電流Ｉが
同一極性で継続する保持時間、駆動電流Ｉの電流値、周波数、波形、変調パターン等の駆
動パラメーターに関する情報が格納されていてもよい。
【００６２】
電力制御回路コントローラー４２は、システムコントローラー４１からの制御信号に基
づき、電力制御回路２０へ電流制御信号を出力することにより、電力制御回路２０を制御
する。
【００６３】
極性反転回路コントローラー４３は、システムコントローラー４１からの制御信号に基
づき、極性反転回路３０へ極性反転制御信号を出力することにより、極性反転回路３０を
制御する。
【００６４】
制御部４０は、専用回路を用いて実現され、上述した制御や後述する処理の各種制御を
行うようにすることができる。これに対して、制御部４０は、例えば、ＣＰＵが記憶部４
４に記憶された制御プログラムを実行することによりコンピューターとして機能し、これ
らの処理の各種制御を行うようにすることもできる。
【００６５】
図５は、制御部４０の他の構成例について説明するための図である。図５に示すように
、制御部４０は、制御プログラムにより、電力制御回路２０を制御する電流制御手段４０
−１、極性反転回路３０を制御する極性反転制御手段４０−２として機能するように構成
されてもよい。
【００６６】
図４に示した例では、制御部４０は、放電灯点灯装置１０の一部として構成されている
。これに対して、制御部４０の機能の一部をＣＰＵ５８０が担うように構成されていても
よい。
【００６７】
動作検出部６０は、例えば、放電灯９０のランプ電圧を検出して制御部４０にランプ電
圧情報を出力する電圧検出部、駆動電流Ｉを検出して制御部４０に駆動電流情報を出力す
る電流検出部、などを含んでいてもよい。本実施形態においては、動作検出部６０は、第
１の抵抗６１、第２の抵抗６２および第３の抵抗６３を含んで構成されている。なお、放
電灯９０のランプ電圧は、放電灯９０の電極間電圧を意味する。
【００６８】
本実施形態において、電圧検出部は、放電灯９０と並列に、互いに直列接続された第１
の抵抗６１および第２の抵抗６２で分圧した電圧によりランプ電圧Ｖｌａを検出する。ま
た、本実施形態において、電流検出部は、放電灯９０に直列に接続された第３の抵抗６３
に発生する電圧により駆動電流Ｉを検出する。
【００６９】
イグナイター回路７０は、放電灯９０の点灯開始時にのみ動作する。イグナイター回路
７０は、放電灯９０の点灯開始時に放電灯９０の電極間（第１電極９２と第２電極９３と
の間）を絶縁破壊して放電路を形成するために必要な高電圧（放電灯９０の通常点灯時よ
りも高い電圧）を、放電灯９０の電極間（第１電極９２と第２電極９３との間）に供給す
る。本実施形態においては、イグナイター回路７０は、放電灯９０と並列に接続されてい
る。
【００７０】
図６（ａ），（ｂ）には、第１電極９２および第２電極９３の先端部分が示されている
。第１電極９２および第２電極９３の先端にはそれぞれ突起５５２ｐ，５６２ｐが形成さ
れている。第１電極９２と第２電極９３の間で生じる放電は、主として突起５５２ｐと突
起５６２ｐとの間で生じる。本実施形態のように突起５５２ｐ，５６２ｐがある場合には
、突起が無い場合と比べて、第１電極９２および第２電極９３における放電位置（アーク
位置）の移動を抑えることができる。
【００７１】
図６（ａ）は、第１電極９２が陽極として動作し、第２電極９３が陰極として動作する
第１極性状態を示している。第１極性状態では、放電により、第２電極９３（陰極）から
第１電極９２（陽極）へ電子が移動する。陰極（第２電極９３）からは電子が放出される
。陰極（第２電極９３）から放出された電子は陽極（第１電極９２）の先端に衝突する。
この衝突によって熱が生じ、陽極（第１電極９２）の先端（突起５５２ｐ）の温度が上昇
する。
【００７２】
図６（ｂ）は、第１電極９２が陰極として動作し、第２電極９３が陽極として動作する
第２極性状態を示している。第２極性状態では、第１極性状態とは逆に、第１電極９２か
ら第２電極９３へ電子が移動する。その結果、第２電極９３の先端（突起５６２ｐ）の温
度が上昇する。
【００７３】
このように、電子が衝突する陽極の温度は、電子を放出する陰極の温度と比べて高くな
りやすい。ここで、一方の電極の温度が他方の電極と比べて高い状態が続くことは、種々
の不具合を引き起こす虞がある。例えば、高温となる電極の先端が過剰に溶けた場合には
、意図しない電極の変形が生じ得る。その結果、電極間距離（アーク長）が適正値からず
れ、照度が安定しない虞がある。逆に、低温となる電極の先端の溶融が不十分な場合には
、先端に生じた微小な凹凸が溶けずに残る虞がある。その結果、いわゆるアークジャンプ
が生じる（アーク位置が安定せずに移動する）場合がある。
【００７４】
本実施形態では、電極先端の突起を適度に溶融させるために、放電灯９０に与える熱負
荷を調整する。本実施形態においては、熱負荷を調整する方法として、放電灯９０に供給
する駆動電力を調整する方法を用いた場合について説明する。すなわち、熱負荷を大きく
する場合には、駆動電力を大きく設定し、熱負荷を小さくする場合には、駆動電力を小さ
く設定することで、放電灯９０に与える熱負荷を調整する。
【００７５】
本実施形態においては、放電灯９０に供給する駆動電力（熱負荷）を、図７に示すよう
に制御する。
図７は本実施形態の駆動電力の波形を示す図である。図７の横軸は時間（秒）であり、
図７の縦軸は駆動電力（Ｗ）である。
【００７６】
放電灯９０の点灯を開始すると、駆動電力は徐々に上昇した後、所定の目標電力に到達
する。このとき、放電灯９０の内部のプラズマ密度は小さく、温度は低く、駆動電力は不
安定な状態である。その後、放電灯９０の内部のプラズマ密度が大きく、温度が高くなる
につれて、駆動電力は安定な状態となる。放電灯９０の点灯開始から駆動電力が安定する
までの期間を立上期間と定義する。立上期間が過ぎた後は継続的に放電灯９０を点灯させ
る期間に入る。この期間を定常点灯期間と定義する。
【００７７】
本実施形態の駆動電力波形においては、図７に示すように、立上期間は、リフレッシュ
電力（第２駆動電力）に向けて駆動電力が徐々に増加する第１立上期間Ｔ１と、駆動電力
がリフレッシュ電力の値に一定に維持される第２立上期間Ｔ２と、を有している。第１立
上期間Ｔ１および第２立上期間Ｔ２の長さは適宜設定することができる。また、駆動電力
波形は、立上期間が終了した後、相対的に低い電力である低電力モード時電力（第１駆動
電力）を供給する定常点灯期間（低電力モード点灯期間）を有している。本実施形態にお
いては、第１駆動電力としての低電力モード時電力による放電灯９０の駆動を第１駆動、
第２駆動電力としてのリフレッシュ電力による放電灯９０の駆動を第２駆動としている。
【００７８】
具体的には、一例として、放電灯９０の定格電力Ｗｔが２００Ｗであり、低電力モード
時電力（第１駆動電力）Ｗｌが１４０Ｗであり、リフレッシュ電力（第２駆動電力）Ｗｒ
が１９０Ｗである。これらの電力値は、Ｗｌ≦Ｗｒ≦Ｗｔの関係を満たしている。例えば
０秒〜４５秒の第１立上期間Ｔ１では、駆動電力は０Ｖから１９０Ｗに向けて直線的に増
加する。４５秒〜１００秒の第２立上期間Ｔ２では、駆動電力は１９０Ｗで一定に維持さ
れる。１００秒以降の定常点灯期間では、駆動電力は１４０Ｗで一定に維持される。
【００７９】
図７ではリフレッシュ電力Ｗｒが１９０Ｗの状態を示したが、図４に示す制御部４０は
、ランプ電圧（電極間電圧）を参照して放電灯９０の劣化の程度を検出し、放電灯９０の
劣化の程度に応じてリフレッシュ電力の値を適宜調整する。すなわち、放電灯９０の劣化
（損耗）が進行している程、電極間距離の増大に伴ってランプ電圧が高くなる。このとき
、リフレッシュ電力を高くして電極先端の突起をより溶融させる必要がある。特に低電力
モードで放電灯９０を駆動した場合、電極の先端部分のみが溶融して微小な突起が形成さ
れる。低電力モードでは電極が溶融しにくいため、突起が変形しやすく、投影画面のちら
つきが発生するおそれがある。ところが、微小な突起を適切に形成すれば、その突起によ
りアーク放電が安定し、ちらつきが抑えられる。
【００８０】
劣化していない新品の放電灯９０に対してリフレッシュ電力を高くすると、電極の先端
が溶融し過ぎ、微小な突起が消滅してしまう。劣化が進行した放電灯９０では電流値が低
くなる分、劣化の程度を保ちながら電極を適度に溶融させることができる。そのため、劣
化が進行していない放電灯９０に対してリフレッシュ電力を相対的に低く、劣化が進行し
ている放電灯９０に対してリフレッシュ電力を相対的に高くする。このように、プロジェ
クターの設計者は、ランプ電圧と、そのランプ電圧に対して最適なリフレッシュ電力の相
関関係を予め求めておくことで、投影画面のちらつきを抑えることができる。ランプ電圧
とリフレッシュ電力との相関関係の一例を［表１］に示す。
【００８１】
【表１】
2015097190.tif 000003
【００８２】
ここで、ランプ電圧（電極間電圧）を参照してからリフレッシュ電力を決定するまでの
第１の手順について、図８を用いて説明する。
放電灯９０が点灯（ステップＳ１）した後、第１立上期間Ｔ１内においてランプ電圧を
参照する時間（図７のｔａに相当）を予め設定しておく。時間ｔａを例えば２０秒とする
。制御部４０は、放電灯９０の点灯が開始してから時間ｔａ（２０秒）が経過したか否か
を判断する（ステップＳ２）。
【００８３】
時間ｔａ（２０秒）が経過したら、制御部４０はランプ電圧を参照する（ステップＳ３
）。第１立上期間Ｔ１中は駆動電力の増大に伴ってランプ電圧が徐々に上昇する。
したがって、時間ｔａで参照したランプ電圧は、定常点灯期間におけるランプ電圧とは異
なる。そこで、プロジェクターの設計者は、時間ｔａでのランプ電圧値から定常点灯期間
でのランプ電圧を求める換算式、もしくは複数の放電灯を実測して得られた電圧推移の統
計値に基づく換算テーブルを予め用意しておく。換算テーブルの一例を［表２］に示す。
なお、［表２］では、時間ｔａでのランプ電圧値と定常点灯期間でのランプ電圧との関係
に加え、［表１］に示したリフレッシュ電力との関係も組み合わせて示している。
【００８４】
【表２】
2015097190.tif 000004
【００８５】
制御部４０は、［表２］に基づいて、定常点灯期間におけるランプ電圧を推定し（ステ
ップＳ４）、リフレッシュ電力を決定する（ステップＳ５）。例えば、時間ｔａで参照し
たランプ電圧が３０Ｖであったとすると、［表２］から定常点灯期間におけるランプ電圧
の推定値は８１〜９０Ｖとなる。このとき、最適なリフレッシュ電力の値は１９０Ｗとな
り、図７に示した駆動電力波形となる。
【００８６】
上述したように、本実施形態の放電灯点灯装置１０において、駆動電力波形は、放電灯
９０の立上期間として、リフレッシュ電力に向けて駆動電力が徐々に増加する第１立上期
間Ｔ１と、駆動電力がリフレッシュ電力の値に一定に維持される第２立上期間Ｔ２と、を
有している。さらに、制御部４０は、放電灯９０の劣化の程度に応じてリフレッシュ電力
の値を調整する構成となっている。そのため、放電灯９０の劣化の程度に係わらず、電極
先端の突起を常に適度に溶融させることができ、突起の形状を維持することができる。そ
の結果、放電が安定することにより、照度変化が少なく、寿命の長い光源装置２００を実
現できる。これにより、表示品位に優れ、信頼性の高いプロジェクター５００を実現でき
る。リフレッシュ電力は放電灯９０の定格電力を超えないため、放電灯９０に過度の負荷
を与えることはない。
【００８７】
また、本実施形態において、制御部４０は、第１立上期間Ｔ１内の任意の時間ｔａにお
けるランプ電圧を参照し、ランプ電圧の参照結果から定常点灯期間のランプ電圧を推定す
る構成となっている。この構成によれば、１回の点灯毎に第１立上期間Ｔ１でのランプ電
圧を参照するため、定常点灯期間のランプ電圧を精度良く推定でき、放電灯９０の劣化の
程度を的確に検出することができる。
【００８８】
ただし、ランプ電圧の参照からリフレッシュ電力の決定までの手順としては、上記の第
１の手順に代えて、以下の第２の手順を採用してもよい。第２の手順において、制御部４
０は、前回の放電灯点灯時に参照したランプ電圧を例えば記憶部４４に記憶させておく。
その後、次回の放電灯点灯時に、制御部４０は、記憶部４４からランプ電圧を読み出し、
その読み出し結果から定常点灯期間のランプ電圧を推定する。
【００８９】
第２の手順を採用した場合、前回の点灯時に記憶済みの電極間電圧を次回の点灯時に参
照するため、立上期間内でランプ電圧を参照することなく、定常点灯期間のランプ電圧を
容易に推定でき、放電灯９０の劣化の程度を的確に検出することができる。
【００９０】
（第２実施形態）
第２実施形態は、第１実施形態に対して、劣化に伴う放電灯９０に与える熱負荷の変化
のさせ方が異なる。
なお、以下の説明において、第１実施形態と同様の構成については、適宜同一の符号を
付す等により説明を省略する場合がある。
【００９１】
本実施形態においては、放電灯９０の劣化の程度が所定値以下である場合には、放電灯
９０の劣化が進むに従って放電灯９０に与える熱負荷を大きく設定し、放電灯９０の劣化
の程度が所定値より大きい場合には、放電灯９０に与える熱負荷を、放電灯９０の劣化の
程度が所定値であるときの熱負荷以下に設定する。
【００９２】
以下の説明においては、熱負荷を調整する方法を、リフレッシュ電力（第２駆動電力）
を調整する方法とし、劣化の程度を検出する方法を、ランプ電圧を参照する方法とした場
合について説明する。
【００９３】
図９は、本実施形態の駆動電力の波形の一例を示す図である。図９の横軸は時間（秒）
であり、図９の縦軸は駆動電力（Ｗ）である。図９においては、リフレッシュ電力が異な
る複数の駆動電力波形を示している。
【００９４】
本実施形態の駆動電力波形においては、図９に示すように、立上期間は、リフレッシュ
電力に向けて駆動電力が徐々に増加する第１立上期間と、駆動電力がリフレッシュ電力の
値に一定に維持される第２立上期間と、を有している。第１立上期間から第２立上期間へ
と移行するタイミングは、駆動電力がリフレッシュ電力まで増加した時点であるため、図
９において、第２立上期間が開始される時点は駆動電力波形ごとに異なっている。
【００９５】
リフレッシュ電力は、ランプ電圧の値に基づいて設定される。本実施形態におけるラン
プ電圧とリフレッシュ電力との相関関係の一例を［表３］に示す。
【００９６】
【表３】
2015097190.tif 000005
【００９７】
表３に示す例では、放電灯９０のランプ電圧が所定値より大きい場合に、放電灯９０の
ランプ電圧が大きくなるのに従って、リフレッシュ電力が低く設定される。表３において
は、放電灯９０の劣化の程度を示すランプ電圧の所定値は９０Ｖである。すなわち、ラン
プ電圧が９０Ｖ以下である場合には、ランプ電圧が大きくなるのに従って、リフレッシュ
電力を高く設定し、ランプ電圧が９０Ｖより大きい場合には、ランプ電圧が大きくなるの
に従ってリフレッシュ電力を低く設定する。
【００９８】
具体的には、例えば、ランプ電圧が０Ｖ以上９０Ｖ以下の範囲では、リフレッシュ電力
は、１４０Ｗから２００Ｗに向けて段階的に高くなるように設定され、ランプ電圧が９０
Ｖより大きい範囲では、リフレッシュ電力は、２００Ｗから１４０Ｗに向けて段階的に低
くなるように設定される。所定値は、放電灯９０ごとに、実験的に求めることができる。
【００９９】
本実施形態によれば、ランプ電圧が所定値より大きい場合、すなわち、放電灯９０の劣
化の程度が所定値よりも大きい場合に、リフレッシュ電力、すなわち、放電灯９０に与え
る熱負荷を所定値における熱負荷以下に設定するため、放電灯９０の寿命が低下すること
を抑制できる。以下、詳細に説明する。
【０１００】
図１０（Ａ）〜（Ｃ）は、劣化に伴う第１電極９２の先端の突起５５２ｐの変化を示す
図である。図１０（Ａ）は、放電灯９０が劣化していない初期の状態を示す図である。図
１０（Ｂ）は、放電灯９０の劣化がある程度進行した中期の状態を示す図である。図１０
（Ｃ）は、放電灯９０の劣化の程度が大きい末期の状態を示す図である。
【０１０１】
図１０（Ａ）〜（Ｃ）に示すように、放電灯９０の劣化が進行するのに従って、第１電
極９２の形状が崩れ、突起５５２ｐが細くなる。図１０（Ｃ）に示す突起５５２ｐが細く
なった末期の状態においてリフレッシュ電力を大きく設定すると、突起５５２ｐが溶けて
消滅してしまう場合があった。これにより、放電灯９０の寿命が低下する場合があった。
【０１０２】
これに対して、本実施形態によれば、ランプ電圧が所定値よりも大きい場合には、リフ
レッシュ電力の値が、ランプ電圧が所定値であるときのリフレッシュ電力の値以下に設定
される。そのため、劣化によって第１電極９２の突起５５２ｐが細くなった放電灯９０に
、過大な熱負荷が与えられることを抑制でき、突起５５２ｐが消滅することを抑制できる
。したがって、本実施形態によれば、放電灯９０の寿命が低下することを抑制できる。
【０１０３】
また、本実施形態によれば、ランプ電圧が所定値より大きい場合には、ランプ電圧が大
きくなるのに従って、リフレッシュ電力の値が低く設定される。そのため、劣化によって
第１電極９２の突起５５２ｐが細くなるのに従って、放電灯９０に与える熱負荷を小さく
することができる。これにより、本実施形態によれば、突起５５２ｐが消滅することをよ
り抑制でき、その結果、放電灯９０の寿命が低下することをより抑制できる。
【０１０４】
なお、本実施形態においては、以下の構成を採用してもよい。
【０１０５】
上記説明においては、ランプ電圧が所定値より大きい場合には、ランプ電圧が大きくな
るのに従ってリフレッシュ電力が低くなるように設定したが、これに限られない。本実施
形態においては、例えば、［表４］に示すように、リフレッシュ電力を変化させてもよい
。
【０１０６】
【表４】
2015097190.tif 000006
【０１０７】
表４では、ランプ電圧が所定値より大きい場合には、ランプ電圧が所定値の場合におけ
るリフレッシュ電力をそのまま維持するように設定される。表４に示す例では、ランプ電
圧が９０Ｖより大きい場合には、リフレッシュ電力は２００Ｗに維持される。
【０１０８】
この構成によれば、ランプ電圧が所定値より大きくなった場合に、リフレッシュ電力を
変化させる必要がないため、制御が簡便である。
【０１０９】
また、本実施形態においては、放電灯９０に与える熱負荷を調整する方法として、駆動
電流の波形を調整する方法を用いてもよい。具体的には、例えば、駆動電流の波形におけ
る放電灯９０に強負荷を与える強負荷駆動の割合を変化させることによって、放電灯９０
に与える熱負荷を調整する。すなわち、駆動電流波形に含まれる強負荷駆動の割合を大き
くすることで放電灯９０に与える熱負荷を大きくし、駆動電流波形に含まれる強負荷駆動
の割合を小さくすることで放電灯９０に与える熱負荷を小さくする。
【０１１０】
図１１は、強負荷駆動の波形の一例を示す図である。
この構成では、図１１に示すように、一方の極性の直流駆動を８ミリ秒行った後、周波
数が５００Ｈｚの交流波形の１周期分を５サイクル組み合わせた単位パターンを１０サイ
クル繰り返し、その後、直流駆動の極性を反転させて同様の駆動を繰り返すパターンを採
用する。この例では、同一極性の直流駆動を繰り返し１０サイクル挿入することにより、
一方の電極の突起の溶融を促進している。直流駆動時間は、特に限定されないが、突起の
溶融効果を高めるため、すなわち、放電灯９０に与える熱負荷を大きくするためには、直
流駆動間に挟む交流駆動時間よりも長くすることが好ましい。また、双方の電極の突起を
均等に溶融させるためには、強負荷駆動の波形パターンの挿入期間を全体で見たときに、
一方の極性の直流駆動時間と他方の極性の直流駆動時間とが等しいことが好ましい。
【０１１１】
強負荷駆動における交流波形の周波数を低くすることで、強負荷駆動によって放電灯９
０に与えられる熱負荷を大きくすることができ、強負荷駆動波形における交流波形の周波
数を高くすることで、強負荷駆動によって放電灯９０に与えられる熱負荷を小さくするこ
とができる。
【０１１２】
ランプ電圧と、駆動電流波形における強負荷駆動の割合との相関関係の一例を［表５］
，［表６］に示す。
【０１１３】
【表５】
2015097190.tif 000007
【０１１４】
【表６】
2015097190.tif 000008
【０１１５】
［表５］は、ランプ電圧が所定値より大きい場合に、ランプ電圧が大きくなるのに従っ
て強負荷駆動の割合を小さく設定する場合の一例を示した表である。
［表６］は、ランプ電圧が所定値より大きい場合に、強負荷駆動の割合をランプ電圧が
所定値であるときの値のまま維持する場合の一例を示した表である。
［表５］，［表６］に示す例においては、いずれも、ランプ電圧の所定値は９０Ｖであ
る。
【０１１６】
［表５］に示す例では、ランプ電圧が０Ｖ以上、９０Ｖ以下の場合においては、強負荷
駆動の割合は、５０％から８０％に向けて段階的に大きくなるように設定され、ランプ電
圧が９０Ｖより大きい場合においては、８０％から５０％に向けて段階的に小さくなるよ
うに設定される。
【０１１７】
また、［表６］に示す例では、ランプ電圧が０Ｖ以上、９０Ｖ以下の場合においては、
強負荷駆動の割合は、５０％から８０％に向けて段階的に大きくなるように設定され、ラ
ンプ電圧が９０Ｖより大きい場合においては、８０％に維持されるように設定される。
【０１１８】
なお、この構成においては、放電灯９０に与える熱負荷を調整する方法として、駆動電
流波形における強負荷駆動の割合を変化させる方法のみに限られるものではなく、例えば
、強負荷駆動における交流駆動時間と直流駆動時間とを変化させてもよいし、交流電流駆
動における周波数を変化させてもよい。
【０１１９】
また、第１実施形態においても、放電灯９０に与える熱負荷を調整する方法として、上
記説明した駆動電流波形を調整する方法を用いてもよいことは言うまでもない。
【０１２０】
本実施形態においては、放電灯９０に与える熱負荷を調整する方法として、リフレッシ
ュ電力と、駆動電流波形における強負荷駆動の割合と、をそれぞれ変化させる方法として
もよい。この場合においては、例えば、ランプ電圧が所定値よりも大きい場合に、リフレ
ッシュ電力は一定値に維持しつつ、強負荷駆動の割合をランプ電圧が大きくなるのに従っ
て小さく設定してもよい。
【０１２１】
また、本実施形態においては、例えば、ランプ電圧が所定値以下である場合には、放電
灯９０に与える熱負荷を一定に維持し、ランプ電圧が所定値より大きい場合には、ランプ
電圧が大きくなるのに従って放電灯９０に与える熱負荷を小さく設定してもよい。
【０１２２】
なお、本発明の技術範囲は上記の各実施形態に限定されるものではなく、本発明の趣旨
を逸脱しない範囲において種々の変更を加えることが可能である。
例えば上記実施形態では、ランプ電圧を参照することにより放電灯の劣化の程度を検出
したが、この構成に代えて、例えばランプ電圧を参照することなく、放電灯の累積点灯時
間を参照して放電灯の劣化の程度を検出してもよい。この場合、放電灯の累積点灯時間と
リフレッシュ電力との関係を示すテーブル等を用意しておけばよい。
【０１２３】
また、上述の実施形態において、透過型のプロジェクターに本発明を適用した場合の例
について説明したが、本発明は、反射型のプロジェクターにも適用することも可能である
。ここで、「透過型」とは、液晶パネル等を含む液晶ライトバルブが光を透過するタイプ
であることを意味する。「反射型」とは、液晶ライトバルブが光を反射するタイプである
ことを意味する。なお、光変調装置は、液晶パネル等に限られず、例えばマイクロミラー
を用いた光変調装置であってもよい。
【０１２４】
また、上述の実施形態において、３つの液晶パネル（液晶ライトバルブ３３０Ｒ，３３
０Ｇ，３３０Ｂ）を用いたプロジェクター５００の例のみを挙げたが、本発明は、１つの
液晶パネルのみを用いたプロジェクター、４つ以上の液晶パネルを用いたプロジェクター
にも適用可能である。
【０１２５】
その他、放電灯駆動装置、光源装置、プロジェクターの具体的な構成については、上記
実施形態の例に限らず、適宜変更が可能である。
【符号の説明】
【０１２６】
１０…放電灯点灯装置（放電灯駆動装置）、４０…制御部、９０…放電灯、２３０…放
電灯駆動部、３３０Ｒ，３３０Ｇ，３３０Ｂ…液晶ライトバルブ（光変調素子）、３５０
…投射光学系、５００…プロジェクター、Ｔ１…第１立上期間
【図１】
2015097190.tif 000009
【図２】
2015097190.tif 000010
【図３】
2015097190.tif 000011
【図４】
2015097190.tif 000012
【図５】
2015097190.tif 000013
【図６】
2015097190.tif 000014
【図７】
2015097190.tif 000015
【図８】
2015097190.tif 000016
【図９】
2015097190.tif 000017
【図１０】
2015097190.tif 000018
【図１１】
2015097190.tif 000019